(57)【要約】【課題】互いに仕切られることなく隣接配置された複数の物品保存領域を容易に熱的に分割することにより、個々の物品保存領域の温度維持を図ることが可能な冷蔵倉庫を提供する。【解決手段】この冷蔵倉庫１００は、物品１が冷蔵保存される領域１１および物品２が冷蔵保存される領域１２を含み、領域１１と領域１２とが隔壁により互いに仕切られることなく隣接配置された冷蔵室１０と、冷蔵室１０の床面１４まで吹き下ろされる気流Ｐ１および気流Ｐ２をそれぞれ形成して冷蔵室１０内を温度Ｔ１に保たれた領域１１と温度Ｔ２に保たれた領域１２とに熱的に分割するために、領域１１側に設置されるエアカーテン装置２０および領域１２側に設置されるエアカーテン装置４０とを備える。【選択図】図１
2015145756.tif 000002
【特許請求の範囲】
【請求項１】
第１物品が冷蔵保存される第１物品保存領域および第２物品が冷蔵保存される第２物品保存領域を含み、前記第１物品保存領域と前記第２物品保存領域とが隔壁により互いに仕切られることなく隣接配置された冷蔵室と、
前記冷蔵室の床面まで吹き下ろされる第１エアカーテン気流および第２エアカーテン気流をそれぞれ形成して前記冷蔵室内を第１温度に保たれた前記第１物品保存領域と第２温度に保たれた前記第２物品保存領域とに熱的に分割するために、前記第１物品保存領域側に設置される第１エアカーテン装置および前記第２物品保存領域側に設置される第２エアカーテン装置とを備える、冷蔵倉庫。
【請求項２】
前記第１物品保存領域に設置され、前記第１エアカーテン気流により前記第１物品保存領域内を循環する第１空気循環流を形成する送風機能を有する第１送風装置と、前記第２物品保存領域に設置され、前記第２エアカーテン気流により前記第２物品保存領域内を循環する第２空気循環流を形成する送風機能を有する第２送風装置とをさらに備え、
前記第１エアカーテン装置または前記第１送風装置の少なくとも一方は、前記第１物品保存領域を前記第１温度に保つ冷却機能を有するとともに、前記第２エアカーテン装置または前記第２送風装置の少なくとも一方は、前記第２物品保存領域を前記第２温度に保つ冷却機能を有する、請求項１に記載の冷蔵倉庫。
【請求項３】
前記第１送風装置および前記第２送風装置は、対応する前記第１エアカーテン装置における前記第１空気循環流を吸い込む吸込口側および前記第２エアカーテン装置における前記第２空気循環流を吸い込む吸込口側にそれぞれ設置されており、
前記第１送風装置または前記第２送風装置の少なくとも一方は、前記第１送風装置から吹き出された前記第１空気循環流または前記第２送風装置から吹き出された前記第２空気循環流の少なくとも一方を、対応する前記第１エアカーテン装置または前記第２エアカーテン装置の少なくとも一方の吸込口にガイドするための閉じずに開放された断面形状を有する風向ガイド部材を含む、請求項２に記載の冷蔵倉庫。
【請求項４】
前記風向ガイド部材は、前記第１送風装置または前記第２送風装置の少なくとも一方の吹出口の下端部に接続され、前記第１送風装置の吹出口から吹き出された前記第１空気循環流または前記第２送風装置の吹出口から吹き出された前記第２空気循環流の少なくとも一方が下方に向かうのを抑制する板状の第１風向板と、前記第１風向板に沿って流れる前記第１空気循環流または前記第２空気循環流の少なくとも一方の水平面内の幅を、対応する前記第１エアカーテン装置または前記第２エアカーテン装置の少なくとも一方の吸込口に向けて広げるように前記第１風向板上に配置される板状の第２風向板とを有する、請求項３に記載の冷蔵倉庫。
【請求項５】
前記第１送風装置と前記第１エアカーテン装置との間、または、前記第２送風装置と前記第２エアカーテン装置との間の少なくとも一方に設置された補助送風装置をさらに備え、
前記第１送風装置から吹き出された前記第１空気循環流または前記第２送風装置から吹き出された前記第２空気循環流の少なくとも一方を、対応する前記第１エアカーテン装置または前記第２エアカーテン装置の少なくとも一方の吸込口に到達させるように構成されている、請求項２〜４のいずれか１項に記載の冷蔵倉庫。
【請求項６】
前記第１エアカーテン気流および前記第２エアカーテン気流の各々の風速および風向は、少なくとも前記第１温度および前記第２温度に基づいて、前記第１物品保存領域を前記第１温度に維持可能でかつ前記第２物品保存領域を前記第２温度に維持可能なように調整されるように構成されている、請求項１〜５のいずれか１項に記載の冷蔵倉庫。
【請求項７】
前記第１物品保存領域の前記第１温度を検出する第１温度センサおよび前記第２物品保存領域の前記第２温度を検出する第２温度センサをさらに備え、
前記第１エアカーテン気流および前記第２エアカーテン気流の各々の風速および風向は、前記第１温度センサおよび前記第２温度センサの検出結果に基づいて、前記第１物品保存領域を前記第１温度に維持可能でかつ前記第２物品保存領域を前記第２温度に維持可能なように調整されるように構成されている、請求項６に記載の冷蔵倉庫。
【請求項８】
前記第１エアカーテン装置および前記第２エアカーテン装置は、前記第１物品保存領域側または前記第２物品保存領域側に移動可能に構成されている、請求項１〜７のいずれか１項に記載の冷蔵倉庫。
【請求項９】
前記第１エアカーテン装置および前記第２エアカーテン装置は、前記冷蔵室の天井部の下面に対して下方に離間した高さ位置において前記第１物品保存領域側または前記第２物品保存領域側に移動可能に構成されており、
前記冷蔵室の天井部の下面と、前記第１エアカーテン装置または前記第２エアカーテン装置の少なくとも一方の上面との隙間を塞ぐように配置されたシール部材をさらに備える、請求項８に記載の冷蔵倉庫。
【請求項１０】
前記第１エアカーテン気流および前記第２エアカーテン気流の各々の風速または風向の少なくとも一方は、前記第１エアカーテン装置および前記第２エアカーテン装置の前記第１物品保存領域側または前記第２物品保存領域側への移動距離に応じて、前記第１物品保存領域を前記第１温度に維持可能でかつ前記第２物品保存領域を前記第２温度に維持可能なように調整されるように構成されている、請求項８または９に記載の冷蔵倉庫。
【請求項１１】
前記第１エアカーテン装置および前記第２エアカーテン装置の間に設けられるとともに下端が前記冷蔵室の前記床面よりも高い位置に位置され、前記第１エアカーテン気流および前記第２エアカーテン気流を互いに遮蔽する遮蔽部材をさらに備える、請求項１〜１０のいずれか１項に記載の冷蔵倉庫。
【発明の詳細な説明】
【技術分野】
【０００１】
この発明は、冷蔵倉庫に関し、特に、複数の領域が隣接配置されるように冷蔵室内が分割される冷蔵倉庫に関する。
【背景技術】
【０００２】
従来、室内の複数の領域同士を隔壁により互いに仕切ることなく隣接配置するような構成が知られている（たとえば、特許文献１参照）。
【０００３】
上記特許文献１には、居室内の中央領域を周状に取り囲んで天井部近傍から下方に吹き下ろすエアカーテン気流を発生させるラインフローファン（エアカーテン装置）を備えた居室エアカーテンが開示されている。この特許文献１に記載の居室エアカーテンが設けられた居室においては、天井裏に設置された排気ファンによって、エアカーテン気流に囲まれた中央領域内に発生する臭気や煙を居室内に拡散させることなく天井部の排気口を介して屋外に排気するように構成されている。なお、エアカーテン気流は床面にまで到達しないように調整されており、エアカーテン気流によって遮断された臭気や煙が天井部側から排気されるのと同時に、居室内の周辺領域の新鮮な空気がエアカーテン気流の及ばない床面近傍を伝って臭気（煙）の発生源となる中央領域に供給されるように構成されている。
【先行技術文献】
【特許文献】
【０００４】
【特許文献１】特開平７−１９５５９号公報
【発明の概要】
【発明が解決しようとする課題】
【０００５】
しかしながら、上記特許文献１に記載された居室エアカーテンでは、天井部近傍から吹き下ろされたエアカーテン気流が床面にまで到達せずに、周辺領域の空気がエアカーテン気流の及ばない床面近傍を介してエアカーテン気流に囲まれた中央領域に引き込まれるため、エアカーテン気流に囲まれた中央領域とその外側の周辺領域とを確実に分割することができないと考えられる。また、周辺領域の空気が流入する分、エアカーテン気流に囲まれた中央領域とその外側の周辺領域との熱的な分割も行えない。このため、隔壁などにより互いに仕切られることなく隣接配置された複数の領域（物品保存領域）を含む冷蔵室を備えた冷蔵倉庫に対して、上記特許文献１の居室エアカーテンを適用した場合には、冷蔵室内を熱的に分割して個々の温度維持が図られるような複数の物品保存領域を形成するのは困難であるという問題点がある。
【０００６】
この発明は、上記のような課題を解決するためになされたものであり、この発明の１つの目的は、互いに仕切られることなく隣接配置された複数の物品保存領域を容易に熱的に分割することにより、個々の物品保存領域の温度維持を図ることが可能な冷蔵倉庫を提供することである。
【課題を解決するための手段】
【０００７】
上記目的を達成するために、この発明の一の局面による冷蔵倉庫は、第１物品が冷蔵保存される第１物品保存領域および第２物品が冷蔵保存される第２物品保存領域を含み、第１物品保存領域と第２物品保存領域とが隔壁により互いに仕切られることなく隣接配置された冷蔵室と、冷蔵室の床面まで吹き下ろされる第１エアカーテン気流および第２エアカーテン気流をそれぞれ形成して冷蔵室内を第１温度に保たれた第１物品保存領域と第２温度に保たれた第２物品保存領域とに熱的に分割するために、第１物品保存領域側に設置される第１エアカーテン装置および第２物品保存領域側に設置される第２エアカーテン装置とを備える。
【０００８】
この発明の一の局面による冷蔵倉庫では、上記のように、第１物品保存領域と第２物品保存領域とが隔壁により互いに仕切られることなく隣接配置された冷蔵室と、冷蔵室内を第１温度に保たれた第１物品保存領域と第２温度に保たれた第２物品保存領域とに熱的に分割するために冷蔵室の床面まで吹き下ろされる第１エアカーテン気流を形成する第１エアカーテン装置および第２エアカーテン気流を形成する第２エアカーテン装置を備えることによって、第１物品保存領域と第２物品保存領域との境界においては、第１エアカーテン装置からの第１エアカーテン気流と第２エアカーテン装置からの第２エアカーテン気流とが共に冷蔵室の床面まで達するので、第１物品保存領域と第２物品保存領域との間の熱移動を相互に遮断することができる。すなわち、互いに仕切られることなく隣接配置された複数の物品保存領域を容易に熱的に分割することができる。これにより、個々の物品保存領域の温度維持を図ることができる。また、個々の物品保存領域の温度維持が図られる分、第１物品保存領域（第２物品保存領域）内に温度分布が生じるのが抑制されて、冷蔵室内に結露や霜付き状態（着霜）が発生するのを抑制することができる。これにより、第１物品および第２物品の各々に水分の侵入などの破損が及ぶのを抑制することができるので、これらの物品の高鮮度化も保つことができる。
【０００９】
また、上記第１の局面による冷蔵倉庫では、第１物品保存領域と第２物品保存領域とが隔壁により互いに仕切られることなく隣接配置された冷蔵室を備え、冷蔵室内を第１温度に保たれた第１物品保存領域と第２温度に保たれた第２物品保存領域とに熱的に分割するための第１エアカーテン装置および第２エアカーテン装置を設けることによって、第１物品保存領域と第２物品保存領域とを隔壁を用いて仕切る場合と異なり、作業者は、第１物品保存領域と第２物品保存領域とを自由に往来して第１物品および第２物品に関する作業を途切れることなく行うことができる。また、第１物品保存領域または第２物品保存領域のいずれか一方から一旦室外（冷蔵室外）へ出て他方に移動（入室）する場合と異なり、扉などの開閉に伴う外気の侵入（熱ロス）も効果的に抑制されるので、これによっても、個々の物品保存領域の温度維持を効果的に図ることができる。
【００１０】
上記一の局面による冷蔵倉庫において、好ましくは、第１物品保存領域に設置され、第１エアカーテン気流により第１物品保存領域内を循環する第１空気循環流を形成する送風機能を有する第１送風装置と、第２物品保存領域に設置され、第２エアカーテン気流により第２物品保存領域内を循環する第２空気循環流を形成する送風機能を有する第２送風装置とをさらに備え、第１エアカーテン装置または第１送風装置の少なくとも一方は、第１物品保存領域を第１温度に保つ冷却機能を有するとともに、第２エアカーテン装置または第２送風装置の少なくとも一方は、第２物品保存領域を第２温度に保つ冷却機能を有する。このように構成すれば、第１エアカーテン装置と第１送風装置とを運転して冷蔵室内を熱的に分割するための第１エアカーテン気流を含む一方側の第１空気循環流を第１物品保存領域に確実に形成し、かつ、第１エアカーテン装置または第１送風装置の少なくとも一方が有する冷却機能により第１物品保存領域を第１温度に容易に維持することができる。また、第２エアカーテン装置と第２送風装置とを運転して冷蔵室内を熱的に分割するための第２エアカーテン気流を含む他方側の第２空気循環流を第２物品保存領域に確実に形成し、かつ、第２エアカーテン装置または第２送風装置の少なくとも一方が有する冷却機能により第２物品保存領域を第２温度に容易に維持することができる。
【００１１】
上記第１送風装置および第２送風装置をさらに備える構成において、好ましくは、第１送風装置および第２送風装置は、対応する第１エアカーテン装置における第１空気循環流を吸い込む吸込口側および第２エアカーテン装置における第２空気循環流を吸い込む吸込口側にそれぞれ設置されており、第１送風装置または第２送風装置の少なくとも一方は、第１送風装置から吹き出された第１空気循環流または第２送風装置から吹き出された第２空気循環流の少なくとも一方を、対応する第１エアカーテン装置または第２エアカーテン装置の少なくとも一方の吸込口にガイドするための閉じずに開放された断面形状を有する風向ガイド部材を含む。このように構成すれば、第１送風装置または第２送風装置の少なくとも一方に風向ガイド部材を設けることによって、第１送風装置からの第１空気循環流または第２送風装置からの第２空気循環流の少なくとも一方を、対応する第１エアカーテン装置または第２エアカーテン装置の少なくとも一方の吸込口に到達しやすくすることができる。すなわち、第１空気循環流または第２空気循環流（冷気）の少なくとも一方が自己の重さで重力下方向に徐々に下がることに起因して、対応する第１エアカーテン装置または第２エアカーテン装置の吸込口に到達せずに第１エアカーテン気流または第２エアカーテン気流に直接的に当たってこれらの気流形状を乱すのが抑制される。その結果、第１エアカーテン装置と第１送風装置とを運転して第１物品保存領域に第１空気循環流を確実に形成することができる。また、第２エアカーテン装置と第２送風装置とを運転して第２物品保存領域に第２空気循環流を確実に形成することができる。
【００１２】
この場合、好ましくは、風向ガイド部材は、第１送風装置または第２送風装置の少なくとも一方の吹出口の下端部に接続され、第１送風装置の吹出口から吹き出された第１空気循環流または第２送風装置の吹出口から吹き出された第２空気循環流の少なくとも一方が下方に向かうのを抑制する板状の第１風向板と、第１風向板に沿って流れる第１空気循環流または第２空気循環流の少なくとも一方の水平面内の幅を、対応する第１エアカーテン装置または第２エアカーテン装置の少なくとも一方の吸込口に向けて広げるように第１風向板上に配置される板状の第２風向板とを有する。このように構成すれば、第１風向板によって、第１送風装置から第１エアカーテン装置に向かう第１空気循環流または第２送風装置から第２エアカーテン装置に向かう第２空気循環流の少なくとも一方の高さ位置を容易に維持することができる。また、第２風向板によって、第１送風装置からの第１空気循環流または第２送風装置からの第２空気循環流の少なくとも一方を、対応する第１エアカーテン装置または第２エアカーテン装置の少なくとも一方の吸込口に向けて容易に拡散させながら各々に均等に到達させることができる。したがって、所定方向に沿ってライン状に形成されるエアカーテン気流の吹出温度および気流形状が各々均一化されるので、第１エアカーテン気流を構成する第１空気循環流または第２エアカーテン気流を構成する第２空気循環流の少なくとも一方を適切に形成することができる。その結果、第１物品保存領域と第２物品保存領域とを確実に熱的に分割することができる。
【００１３】
上記第１送風装置および第２送風装置をさらに備える構成において、好ましくは、第１送風装置と第１エアカーテン装置との間、または、第２送風装置と第２エアカーテン装置との間の少なくとも一方に設置された補助送風装置をさらに備え、第１送風装置から吹き出された第１空気循環流または第２送風装置から吹き出された第２空気循環流の少なくとも一方を、対応する第１エアカーテン装置または第２エアカーテン装置の少なくとも一方の吸込口に到達させるように構成されている。このように構成すれば、補助送風装置によって、第１送風装置からの第１空気循環流または第２送風装置からの第２空気循環流の少なくとも一方を、対応する第１エアカーテン装置または第２エアカーテン装置の少なくとも一方の吸込口に確実に到達させることができる。したがって、第１物品保存領域に第１空気循環流を確実に形成することができるとともに、第２物品保存領域に第２空気循環流を確実に形成することができる。
【００１４】
上記一の局面による冷蔵倉庫において、好ましくは、第１エアカーテン気流および第２エアカーテン気流の各々の風速および風向は、少なくとも第１温度および第２温度に基づいて、第１物品保存領域を第１温度に維持可能でかつ第２物品保存領域を第２温度に維持可能なように調整されるように構成されている。このように構成すれば、第１温度と第２温度とが互いにどのように設定された場合であっても、第１エアカーテン気流および第２エアカーテン気流の各々の風速および風向が少なくとも第１温度および第２温度に基づいて調整されるので、第１温度と第２温度との温度差に起因して第１物品保存領域と第２物品保存領域との境界近傍においてエアカーテン気流の形状が歪む（湾曲する）のを抑制することができる。したがって、第１物品保存領域と第２物品保存領域との境界近傍においても、第１物品保存領域側の第１温度と第２物品保存領域側の第２温度とをそれぞれ容易に維持することができる。
【００１５】
この場合、好ましくは、第１物品保存領域の第１温度を検出する第１温度センサおよび第２物品保存領域の第２温度を検出する第２温度センサをさらに備え、第１エアカーテン気流および第２エアカーテン気流の各々の風速および風向は、第１温度センサおよび第２温度センサの検出結果に基づいて、第１物品保存領域を第１温度に維持可能でかつ第２物品保存領域を第２温度に維持可能なように調整されるように構成されている。このように構成すれば、第１温度センサおよび第２温度センサの検出結果に基づいて、第１エアカーテン気流および第２エアカーテン気流の各々の風速および風向を精度よく調整することができる。すなわち、第１温度を有する第１物品保存領域と第２温度を有する第２物品保存領域との境界近傍において、第１温度と第２温度との温度差に起因して第１エアカーテン気流と第２エアカーテン気流とが混合されるのを容易に抑制することができる。また、第１物品保存領域と第２物品保存領域との熱的な境界位置を適切に制御することができる。
【００１６】
上記一の局面による冷蔵倉庫において、好ましくは、第１エアカーテン装置および第２エアカーテン装置は、第１物品保存領域側または第２物品保存領域側に移動可能に構成されている。このように構成すれば、冷蔵室内における第１物品保存領域と第２物品保存領域との容積的な割合（レイアウト）を変更した場合にも、容易に、変更した容積的な割合（レイアウト）に対応するように第１エアカーテン装置および第２エアカーテン装置を移動させることができる。これにより、第１物品保存領域および第２物品保存領域のレイアウト配置が相互に変更された場合にも、容易に、第１物品保存領域と第２物品保存領域との温度維持を共に図ることができる。
【００１７】
上記第１エアカーテン装置および第２エアカーテン装置が移動可能である構成において、好ましくは、第１エアカーテン装置および第２エアカーテン装置は、冷蔵室の天井部の下面に対して下方に離間した高さ位置において第１物品保存領域側または第２物品保存領域側に移動可能に構成されており、冷蔵室の天井部の下面と、第１エアカーテン装置または第２エアカーテン装置の少なくとも一方の上面との隙間を塞ぐように配置されたシール部材をさらに備える。このように構成すれば、第１エアカーテン装置または第２エアカーテン装置の少なくとも一方が冷蔵室の天井部に対して隙間を有して移動される場合であっても、この隙間を遮断するようにシール部材が配置されているので、この隙間を介して第１物品保存領域と第２物品保存領域とが連通されるのを防止することができる。すなわち、この隙間を介して第１物品保存領域と第２物品保存領域との間に空気流動が起こらないので、第１物品保存領域および第２物品保存領域を第１温度および第２温度にそれぞれ容易に維持することができる。
【００１８】
上記第１エアカーテン装置および第２エアカーテン装置が移動可能である構成において、好ましくは、第１エアカーテン気流および第２エアカーテン気流の各々の風速または風向の少なくとも一方は、第１エアカーテン装置および第２エアカーテン装置の第１物品保存領域側または第２物品保存領域側への移動距離に応じて、第１物品保存領域を第１温度に維持可能でかつ第２物品保存領域を第２温度に維持可能なように調整されるように構成されている。このように構成すれば、第１エアカーテン装置および第２エアカーテン装置の第１物品保存領域側または第２物品保存領域側への移動に伴って第１物品保存領域および第２物品保存領域の空間容積割合が変更された場合でも、第１エアカーテン気流および第２エアカーテン気流の風速または風向の少なくとも一方が移動距離に応じて調整されるので、各々の空間容積の差異に起因して第１物品保存領域と第２物品保存領域との境界近傍においてエアカーテン気流の形状が歪むのを抑制することができる。したがって、第１物品保存領域および第２物品保存領域の各々の空間容積に関係なく、第１エアカーテン気流および第２エアカーテン気流による遮断（断熱）機能を維持することができる。
【００１９】
上記一の局面による冷蔵倉庫において、好ましくは、第１エアカーテン装置および第２エアカーテン装置の間に設けられるとともに下端が冷蔵室の床面よりも高い位置に位置され、第１エアカーテン気流および第２エアカーテン気流を互いに遮蔽する遮蔽部材をさらに備える。このように構成すれば、第１温度と第２温度とが互いにどのように設定された場合であっても、第１エアカーテン装置および第２エアカーテン装置の間に設けられ下端が冷蔵室の床面よりも高い位置まで延びる遮蔽部材によって、第１エアカーテン気流および第２エアカーテン気流の形状を共に乱すことなく冷蔵室の床面まで到達させることができる。すなわち、第１温度と第２温度との温度差に起因して第１物品保存領域と第２物品保存領域との境界近傍においてエアカーテン気流の形状が歪むのを、遮蔽部材の整流作用によって抑制することができる。したがって、第１物品保存領域と第２物品保存領域との境界近傍においても第１温度と第２温度とをそれぞれ容易に維持することができる。
【発明の効果】
【００２０】
本発明によれば、上記のように、互いに仕切られることなく隣接配置された複数の物品保存領域を容易に熱的に分割することにより、個々の物品保存領域の温度維持を図ることが可能な冷蔵倉庫を提供することができる。
【図面の簡単な説明】
【００２１】
【図１】本発明の第１実施形態による冷蔵倉庫の構成を示した断面図である。
【図２】本発明の第１実施形態おける冷蔵倉庫の全体構成を示した上面図である。
【図３】本発明の第１実施形態おける冷蔵倉庫の温度維持を行うための構成を示した制御ブロック図である。
【図４】本発明の第２実施形態による冷蔵倉庫の構成を示した断面図である。
【図５】本発明の第３実施形態による冷蔵倉庫の構成を示した断面図である。
【図６】本発明の第３実施形態おける冷蔵倉庫の全体構成を示した上面図である。
【図７】本発明の第４実施形態による冷蔵倉庫の構成を示した断面図である。
【図８】本発明の第５実施形態による冷蔵倉庫の構成を示した断面図である。
【図９】本発明の第５実施形態おける冷蔵倉庫の温度維持を行うための構成を示した制御ブロック図である。
【図１０】本発明の第６実施形態による冷蔵倉庫の構成を示した断面図である。
【図１１】本発明の第６実施形態の変形例による冷蔵倉庫の構成を示した断面図である。
【図１２】本発明の第７実施形態による冷蔵倉庫の構成を示した断面図である。
【図１３】本発明の第７実施形態による冷蔵倉庫においてエアカーテン装置を移動させるための架台周辺の構造を示した上面図である。
【図１４】本発明の第７実施形態による冷蔵倉庫においてエアカーテン装置を移動させるための架台周辺の構造を示した断面図である。
【図１５】本発明の第７実施形態おける冷蔵倉庫の温度維持を行うための構成を示した制御ブロック図である。
【図１６】本発明の第７実施形態の変形例による冷蔵倉庫の構成を示した断面図である。
【発明を実施するための形態】
【００２２】
以下、本発明を具体化した実施形態を図面に基づいて説明する。
【００２３】
（第１実施形態）
まず、図１〜図３を参照して、本発明の第１実施形態による冷蔵倉庫１００について説明する。
【００２４】
第１実施形態による冷蔵倉庫１００は、図１に示すように、内部空間１０ａが所定温度に維持された状態で互いに異なる複数種類の物品（商品）を保管することが可能な冷凍冷蔵倉庫である。具体的には、冷蔵倉庫１００は、内部空間１０ａを有する冷蔵室１０を備えている。また、内部空間１０ａは、冷凍食品などの物品１が所定温度で冷凍保存されるための領域１１と、別な食品などの物品２が物品１とは異なる所定温度で冷蔵保存されるための領域１２とによって構成されている。この場合、領域１１は、物品１を冷凍保存するために温度Ｔ１に維持されるとともに、領域１２は、物品２を冷蔵保存するために温度Ｔ２に維持されている。ここで、温度Ｔ１は、温度Ｔ２よりも低い。なお、物品１および物品２は、それぞれ、本発明の「第１物品」および「第２物品」の一例である。また、温度Ｔ１および温度Ｔ２は、それぞれ、本発明の「第１温度」および「第２温度」の一例である。また、領域１１および領域１２は、それぞれ、本発明の「第１物品保存領域」および「第２物品保存領域」の一例である。
【００２５】
ここで、内部空間１０ａは、冷蔵室１０内を物理的に仕切る（区画する）ための隔壁を設けてＸ１側の領域１１とＸ２側の領域１２とに分割されているわけではない。すなわち、領域１１と領域１２との境界領域１０ｂには、断熱性を有する隔壁やその一部が開閉可能な扉などの構造物は設けられていない。したがって、領域１１において物品１に関する作業を行う作業者（荷役者（図示せず））は、境界領域１０ｂを矢印Ｘ２方向に素通りすることにより領域１２に移動して物品２に関する作業を引き続き行うことが可能に構成されている。また、作業者（図示せず）は、領域１２から領域１１へも境界領域１０ｂを素通り可能である。
【００２６】
また、上述のように、冷蔵室１０内において物理的な隔壁を用いて互いに仕切られていない領域１１と領域１２とは、それぞれ、互いに異なる温度Ｔ１および温度Ｔ２からなる冷蔵温度に保たれるように構成されている。すなわち、領域１１と領域１２とは、隔壁を用いることなく温度Ｔ１と温度Ｔ２とに熱的に分割されるように構成されている。
【００２７】
この冷蔵室１０内を熱的に分割するために、第１実施形態では、領域１１と領域１２とが互いに対向する境界領域１０ｂに、各々が送風機能を有するエアカーテン装置２０およびエアカーテン装置４０が設置されている。エアカーテン装置２０は、冷蔵室１０の床面１４まで吹き下ろされる気流Ｐ１を形成する機能を有するとともに、エアカーテン装置４０は、床面１４まで吹き下ろされる気流Ｐ２を形成する機能を有している。なお、エアカーテン装置２０およびエアカーテン装置４０は、それぞれ、本発明の「第１エアカーテン装置」および「第２エアカーテン装置」の一例である。また、気流Ｐ１および気流Ｐ２は、それぞれ、本発明の「第１エアカーテン気流」および「第２エアカーテン気流」の一例である。
【００２８】
これにより、境界領域１０ｂにおいては、エアカーテン装置２０からの気流Ｐ１とエアカーテン装置４０からの気流Ｐ２とが共に冷蔵室１０の床面１４まで達するので、領域１１と領域１２との間のＸ方向に沿った熱移動（この場合、温度Ｔ２を有する領域１２から温度Ｔ１を有する領域１１への熱移動）が遮断される。なお、エアカーテン装置２０は、境界領域１０ｂのＸ１側の縁部に対応した天井部１３の下面１３ａに設置されるとともに、エアカーテン装置４０は、境界領域１０ｂのＸ２側の縁部に対応した天井部１３の下面１３ａに設置されている。また、エアカーテン装置２０とエアカーテン装置４０とは、床面１４から同じ高さ位置（Ｚ方向）において境界領域１０ｂを挟み込んで配置されている。
【００２９】
また、第１実施形態では、図１に示すように、冷蔵室１０内の領域１１には、エアカーテン装置２０に加えて、送風機能とともに領域１１を冷却して温度Ｔ１に保つ冷却機能を有する冷却装置３０が設置されている。同様に、領域１２には、エアカーテン装置４０に加えて、送風機能とともに領域１２を冷却して温度Ｔ２に保つ冷却機能を有する冷却装置５０が設置されている。具体的には、冷却装置３０は、エアカーテン装置２０における冷気循環流Ｇ１を吸い込む吸込口２１よりも上流側（Ｘ１側）に設置されるとともに、冷却装置５０は、エアカーテン装置４０における冷気循環流Ｇ２を吸い込む吸込口４１よりも上流側（Ｘ２側）に設置されている。なお、冷却装置３０および冷却装置５０は、それぞれ、本発明の「第１送風装置」および「第２送風装置」の一例である。また、冷気循環流Ｇ１および冷気循環流Ｇ２は、それぞれ、本発明の「第１空気循環流」および「第２空気循環流」の一例である。
【００３０】
これにより、領域１１においては、エアカーテン装置２０と冷却装置３０とを運転して冷蔵室１０内を熱的に分割するための気流Ｐ１を含む冷気循環流Ｇ１が形成される。また、領域１２においては、エアカーテン装置４０と冷却装置５０とを運転して冷蔵室１０内を熱的に分割するための気流Ｐ２を含む冷気循環流Ｇ２が形成されるように構成されている。
【００３１】
ここで、気流（冷気）の流れを説明する。図１に示すように、領域１１においては、冷却装置３０により冷やされて冷却装置３０の吹出口３２から吹き出される冷気が天井部１３の下面１３ａを矢印Ｘ２方向（水平方向）に伝ってエアカーテン装置２０の吸込口２１に吸い込まれる。冷気は向きを変えてエアカーテン装置２０の吹出口２２から気流Ｐ１となって斜め下方向（矢印Ｚ２方向かつ矢印Ｘ１方向）に吹き出される。すなわち、吹出口２２は、吹き出される冷気が真下方向から所定角度だけ領域１１側（Ｘ１側）に向かう気流Ｐ１を形成するような開口形状を有している。その後、冷気（気流Ｐ１）は、床面１４に到達した後、向きを変えてそのほとんどが床面１４を矢印Ｘ１方向に沿って流通され、Ｘ１側の側壁部１５ａ近傍を矢印Ｚ１方向に伝って冷却装置３０の吸込口３１に吸い込まれる。このように、領域１１には、時計回りに大きく循環する冷気循環流Ｇ１が形成される。なお、床面１４に到達した気流Ｐ１の一部は矢印Ｘ２方向にも向きを変えた後、境界領域１０ｂ内で矢印Ｚ１方向に上昇して再び吹出口２２からの冷気に混合される。したがって、境界領域１０ｂ内には小さな渦流Ｑ１（反時計回り）も発生する。
【００３２】
また、領域１２においては、冷却装置５０により冷やされて冷却装置５０の吹出口５２から吹き出される冷気が天井部１３の下面１３ａを矢印Ｘ１方向（水平方向）に伝ってエアカーテン装置４０の吸込口４１に吸い込まれる。冷気は向きを変えてエアカーテン装置４０の吹出口４２から斜め下方向（矢印Ｚ２方向かつ矢印Ｘ２方向）に吹き出される。すなわち、吹出口４２は、吹き出される冷気が真下方向から所定角度だけ領域１２側（Ｘ２側）に向かう気流Ｐ２を形成するような開口形状を有している。その後、冷気（気流Ｐ２）は、床面１４に到達した後、向きを変えてそのほとんどが床面１４を矢印Ｘ２方向に沿って流通され、Ｘ２側の側壁部１５ｂ近傍を矢印Ｚ１方向に伝って冷却装置５０の吸込口５１に吸い込まれる。このように、エアカーテン装置４０と冷却装置５０とが運転されることによって、領域１２には、反時計回りに大きく循環する冷気循環流Ｇ２が形成される。なお、床面１４に到達した気流Ｐ２の一部は矢印Ｘ１方向にも向きを変えた後、境界領域１０ｂ内で矢印Ｚ１方向に上昇して再び吹出口４２からの冷気に混合される。したがって、境界領域１０ｂ内には小さな渦流Ｑ２（時計回り）も発生する。
【００３３】
なお、境界領域１０ｂにおいては、渦流Ｑ１およびＱ２が生じるものの、冷気循環流Ｇ１のうちのエアカーテン装置２０の吹出口２２から吹き下ろされた気流Ｐ１と、冷気循環流Ｇ２のうちのエアカーテン装置４０の吹出口４２から吹き下ろされた気流Ｐ２とが、下方向（矢印Ｚ２方向）に沿ってやや末広がり状に並進するような態様を有する。第１実施形態では、気流Ｐ１と気流Ｐ２とが互いに吸引し合って合流し境界領域１０ｂ内に１つの下降気流が形成されるのが防止されている。また、渦流Ｑ１およびＱ２を生じさせるとともに、気流Ｐ１と気流Ｐ２とが分離されたまま吹き下ろされることによって、領域１１と領域１２とが熱的に分割されるように構成されている。したがって、作業者（図示せず）が境界領域１０ｂを介して領域１１と領域１２との間を自由に往来したとしても、領域１１と領域１２とは、各々の呼内温度（温度Ｔ１およびＴ２）を大きく崩すことなく維持されている。
【００３４】
また、冷蔵室１０を平面的に見た場合、図２に示すように、領域１１側に設置されたエアカーテン装置２０は、内部空間１０ａを構成する一方側（Ｙ１側）の側壁部１６から他方側（Ｙ２側）の側壁部１７に亘って設置されている。この場合、Ｙ方向が長手方向となった４台のエアカーテン装置２０が天井部１３の下面１３ａにおいてＹ方向に沿って直線的に配置されている。また、領域１１の側壁部１５ａ（Ｘ１側）近傍における天井部１３の下面１３ａ下には、Ｙ方向が長手方向となった２台の冷却装置３０がＹ方向に直線的に配置されている。これにより、２台の冷却装置３０の各々の吹出口３２（図１参照）から吹き出された冷気が４台のエアカーテン装置２０の各々の吸込口２１（図１参照）に吸い込まれるように構成されている。なお、領域１２側に設置されたエアカーテン装置４０および冷却装置５０の台数ならびに配置構成についても、領域１１側と左右対称に構成されている。
【００３５】
また、冷蔵倉庫１００における冷蔵室１０内の温度維持を行うための制御的な構成としては、図３に示すように、冷蔵倉庫１００の外部に、コントローラ機器７０が設置されている。コントローラ機器７０には、統括制御部７１と、エアカーテン装置制御部７２と、冷却装置制御部７３と、エアカーテン装置制御部７４と、冷却装置制御部７５とが設けられている。ここで、エアカーテン装置制御部７２および７４は、それぞれ、エアカーテン装置２０および４０の運転制御を行う機能を有している。また、冷却装置制御部７３および７５は、それぞれ、冷却装置３０および５０の運転制御を行う機能を有している。また、冷蔵室１０内には、領域１１の温度を検出する温度センサ８１と、領域１２の温度を検出する温度センサ８２とが設置されており、各々は統括制御部７１に電気的に接続されている。
【００３６】
そして、温度センサ８１による領域１１の庫内温度に基づいて統括制御部７１が所定の演算処理を行うとともに、演算処理結果に基づいてエアカーテン装置制御部７２および冷却装置制御部７３がそれぞれ指令を受ける。そして、エアカーテン装置制御部７２の指令に基づいてエアカーテン装置２０の運転制御が行われるとともに、冷却装置制御部７３の指令に基づいて冷却装置３０の運転制御が行われる。また、上記と同様の制御構成が領域１２側にも適用される。これにより、エアカーテン装置２０と冷却装置３０との協調運転が行われて物品１が保存される領域１１が温度Ｔ１に維持されるとともに、エアカーテン装置４０と冷却装置５０との協調運転が行われて物品２が保存される領域１２が温度Ｔ２に維持されるように構成されている。
【００３７】
また、図２に示すように、領域１１側の側壁部１６（Ｙ１側）には、開閉扉１８ａが設けられるとともに、領域１２側の側壁部１７（Ｙ１側）には、開閉扉１８ｂが設けられている。また、側壁部１６を隔てて、冷蔵室１０の外側には、物品１および２を一時的に載置する荷置場１０１が設けられている。荷置場１０１は、地面に対して所定の高さを有しており、荷置場１０１の端部１０１ａに対してトラック１１０が接車可能に構成されている。トラック１１０に対する物品１および２の荷役作業は、荷置場１０１において行われる。このようにして、冷蔵倉庫１００は構成されている。
【００３８】
第１実施形態では、以下のような効果を得ることができる。
【００３９】
第１実施形態では、上記のように、領域１１と領域１２とが隔壁により互いに仕切られることなく隣接配置された冷蔵室１０と、冷蔵室１０内を温度Ｔ１に保たれた領域１１と温度Ｔ２に保たれた領域１２とに熱的に分割するために冷蔵室１０の床面１４まで吹き下ろされる気流Ｐ１を形成するエアカーテン装置２０および気流Ｐ２を形成するエアカーテン装置４０を備える。これにより、領域１１と領域１２との境界領域１０ｂにおいては、エアカーテン装置２０からの気流Ｐ１とエアカーテン装置４０からの気流Ｐ２とが共に冷蔵室１０の床面１４まで達するので、領域１１と領域１２との間の熱移動を相互に遮断することができる。すなわち、互いに仕切られることなく隣接配置された領域１１と領域１２とを容易に熱的に分割することができる。これにより、温度Ｔ１に保たれた領域１１および温度Ｔ２に保たれた領域１２の各々の温度維持を図ることができる。また、領域１１および１２の温度維持が図られる分、領域１１（領域１２）内に温度分布が生じるのが抑制されて、冷蔵室１０内に結露や霜付き状態（着霜）が発生するのを抑制することができる。これにより、物品１および２の各々に水分の侵入などの破損が及ぶのを抑制することができるので、物品１および２の高鮮度化も保つことができる。
【００４０】
また、第１実施形態では、領域１１と領域１２とが隔壁により互いに仕切られることなく隣接配置された冷蔵室１０を備え、冷蔵室１０内を温度Ｔ１に保たれた領域１１と温度Ｔ２に保たれた領域１２とに熱的に分割するためのエアカーテン装置２０およびエアカーテン装置４０を設けることによって、領域１１と領域１２とを隔壁を用いて仕切る場合と異なり、作業者は、領域１１と領域１２とを自由に往来して物品１および２に関する作業を途切れることなく行うことができる。また、隔壁に設けられた扉を都度開閉して領域１１または領域１２のいずれか一方から他方へ移動する場合と異なり、扉の開閉に伴う異温度冷気の侵入（熱ロス）も効果的に抑制されるので、これによっても、領域１１および１２の各々の温度維持を効果的に図ることができる。
【００４１】
また、第１実施形態では、領域１１に設置され、送風機能とともに領域１１を冷却して温度Ｔ１に保つ冷却機能を兼ね備えた冷却装置３０と、領域１２に設置され、送風機能とともに領域１２を冷却して温度Ｔ２に保つ冷却機能を兼ね備えた冷却装置５０とをさらに備える。これにより、エアカーテン装置２０と冷却装置３０とを運転して冷蔵室１０内を熱的に分割するための気流Ｐ１を含む冷気循環流Ｇ１を領域１１に確実に形成し、かつ、冷却装置３０が有する冷却機能により領域１１を温度Ｔ１に容易に維持することができる。また、エアカーテン装置４０と冷却装置５０とを運転して冷蔵室１０内を熱的に分割するための気流Ｐ２を含む冷気循環流Ｇ２を領域１２に確実に形成し、かつ、冷却装置５０が有する冷却機能により領域１２を温度Ｔ２に容易に維持することができる。
【００４２】
（第２実施形態）
次に、図４を参照して、第２実施形態について説明する。この第２実施形態では、上記第１実施形態と異なり、冷却機能を兼ね備えたエアカーテン装置２２０およびエアカーテン装置２４０を設けるとともに、冷却装置３０および５０を送風装置として用いて冷蔵室１０内を構成した例について説明する。なお、エアカーテン装置２２０およびエアカーテン装置２４０は、それぞれ、本発明の「第１エアカーテン装置」および「第２エアカーテン装置」の一例である。また、図中において、上記第１実施形態と同様の構成には、第１実施形態と同じ符号を付して図示している。
【００４３】
本発明の第２実施形態による冷蔵倉庫２００は、図４に示すように、領域１１側にエアカーテン装置２２０および冷却装置３０を設置するとともに、領域１２側にエアカーテン装置２４０および冷却装置５０を設置している。ここで、第２実施形態では、冷却装置３０および冷却装置５０は、冷却機能を停止して単なる送風装置として用いられる。その一方で、エアカーテン装置２２０および２４０は、それぞれ、冷却部３（破線で示す）および４（破線で示す）が内蔵されている。これにより、エアカーテン装置２２０および２４０は、送風機能のみならず庫内（冷蔵室１０内）を冷却する冷却機能が発揮されるように構成されている。
【００４４】
これにより、領域１１においては、エアカーテン装置２２０（冷却部３）により冷やされた冷気がエアカーテン装置２２０の吹出口２２から斜め下方向（矢印Ｚ２方向かつ矢印Ｘ１方向）に吹き出される。冷気は、床面１４に到達した後、向きを変えて床面１４を矢印Ｘ１方向に沿って流通され、Ｘ１側の側壁部１５ａ近傍を矢印Ｚ１方向に伝って冷却装置３０の吸込口３１に吸い込まれる。そして、冷却装置３０の送風機能により吹出口３２から吹き出された冷気が天井部１３の下面１３ａを矢印Ｘ２方向（水平方向）に伝ってエアカーテン装置２０の吸込口２１に吸い込まれる。このようにして、領域１１に、時計回りに大きく循環する冷気循環流Ｇ１が形成される。
【００４５】
対称的に、領域１２においては、エアカーテン装置２４０（冷却部４）により冷やされた冷気がエアカーテン装置２４０の吹出口４２から斜め下方向（矢印Ｚ２方向かつ矢印Ｘ２方向）に吹き出される。冷気は、床面１４に到達した後、向きを変えて床面１４を矢印Ｘ２方向に沿って流通され、Ｘ２側の側壁部１５ｂ近傍を矢印Ｚ１方向に伝って冷却装置５０の吸込口５１に吸い込まれる。そして、冷却装置５０の送風機能により吹出口５２から吹き出された冷気が天井部１３の下面１３ａを矢印Ｘ１方向（水平方向）に伝ってエアカーテン装置４０の吸込口４１に吸い込まれる。このようにして、領域１２に、反時計回りに大きく循環する冷気循環流Ｇ２が形成される。
【００４６】
これにより、領域１１と領域１２との境界領域１０ｂにおいては、エアカーテン装置２２０からの気流Ｐ１とエアカーテン装置２４０からの気流Ｐ２とが、共に冷蔵室１０の床面１４まで達するので、領域１１と領域１２との間のＸ方向に沿った熱移動が相互に遮断されるように構成されている。なお、第２実施形態による冷蔵倉庫２００のその他の構成は、上記第１実施形態と同様である。
【００４７】
第２実施形態では、以下のような効果を得ることができる。
【００４８】
第２実施形態では、上記のように、冷却装置３０および５０においては各々が有する送風機能のみを利用するとともに、エアカーテン気流を形成する機能（送風機能）に加えて冷却機能（冷却部３および４）を兼ね備えたエアカーテン装置２２０および２４０を設置して冷蔵室１０内を構成する。これによっても、エアカーテン装置２２０と送風装置としての冷却装置３０とを運転して冷蔵室１０内を熱的に分割するための気流Ｐ１を含む冷気循環流Ｇ１を領域１１に確実に形成し、かつ、エアカーテン装置２２０が有する冷却機能により領域１１を温度Ｔ１に容易に維持することができる。また、エアカーテン装置２４０と送風装置としての冷却装置５０とを運転して冷蔵室１０内を熱的に分割するための気流Ｐ２を含む冷気循環流Ｇ２を領域１２に確実に形成し、かつ、エアカーテン装置２４０が有する冷却機能により領域１２を温度Ｔ２に容易に維持することができる。なお、第２実施形態のその他の効果は、上記第１実施形態と同様である。
【００４９】
（第３実施形態）
次に、図５および図６を参照して、第３実施形態について説明する。この第３実施形態では、上記第１実施形態と異なり、冷却装置３３０および冷却装置３５０に風向ガイド部材３０１をそれぞれ取り付けた例について説明する。なお、冷却装置３３０および冷却装置３５０は、それぞれ、本発明の「第１送風装置」および「第２送風装置」の一例である。なお、図中において、上記第１実施形態と同様の構成には、第１実施形態と同じ符号を付して図示している。
【００５０】
本発明の第３実施形態による冷蔵倉庫３００は、図５に示すように、領域１１側にエアカーテン装置２０および冷却装置３３０を設置するとともに、領域１２側にエアカーテン装置４０および冷却装置３５０を設置している。また、冷蔵室１０を平面的に見た場合、図６に示すように、領域１１には１台の冷却装置３３０が配置されるとともに、領域１２には１台の冷却装置３５０が配置されている。したがって、１台の冷却装置３３０から吹き出された冷気が４台のエアカーテン装置２０に吸い込まれた後、この４台のエアカーテン装置２０の各々を介して下方（斜め下方向）に吹き出されて気流Ｐ１が形成される。また、１台の冷却装置５０から吹き出された冷気が４台のエアカーテン装置４０に吸い込まれた後、この４台のエアカーテン装置４０の各々を介して下方（斜め下方向）に吹き出されて気流Ｐ２が形成されるように構成されている。
【００５１】
ここで、第３実施形態では、図５に示すように、冷却装置３３０および３５０には、それぞれ、風向ガイド部材３０１が取り付けられている。なお、風向ガイド部材３０１の構成に関して、冷却装置３３０側を例にとって説明する。
【００５２】
すなわち、風向ガイド部材３０１は、冷却装置３３０の吹出口３２から吹き出された空気循環流Ｇ１が直ちに下方（矢印Ｚ２方向）に向かうのを抑制する板状の下板３０２と、下板３０２に沿って流れる空気循環流Ｇ１の水平面内の横幅（Ｙ方向）をエアカーテン装置２０の吸込口２１に向けて広げるように下板３０２上に配置される板状の複数（６枚）の整流板３０３とを有している。また、風向ガイド部材３０１は、一般的なダクト部材のように矩形状や円環状を有して閉じた断面形状を有するのではなく、閉じずに開放された断面形状を有している。この場合、天井部１３に対向する風向ガイド部材３０１の上面側（Ｚ１側）が閉じずに開放されている。したがって、風向ガイド部材３０１は、冷却装置３３０から吹き出された空気循環流Ｇ１をエアカーテン装置２０の吸込口２１にガイドする機能を有している。なお、下板３０２および整流板３０３は、それぞれ、本発明の「第１風向板」および「第２風向板」の一例である。
【００５３】
したがって、領域１１を側方から見た場合に、冷却装置３３０の吹出口３２から吹き出される冷気は、下板３０２によりＺ方向の高さ位置が下方に向かうのが抑制された状態で、天井部１３の下面１３ａを矢印Ｘ２方向（水平方向）に伝ってエアカーテン装置２０の吸込口２１に吸い込まれる。また、領域１１を上方から見た場合には、図６に示すように、冷却装置３３０の吹出口３２から吹き出される冷気は、６枚の整流板３０３により、空気循環流Ｇ１の水平面内の横幅（Ｙ方向）をエアカーテン装置２０の吸込口２１に向けて広げるように流れてエアカーテン装置２０の吸込口２１に吸い込まれる。
【００５４】
また、領域１２における冷却装置３５０側に取り付けられた風向ガイド部材３０１も領域１１における冷却装置３３０側に取り付けられた風向ガイド部材３０１と同様に構成されている。したがって、冷却装置３５０の吹出口５２から吹き出される冷気は、下板３０２によりＺ方向の高さ位置が下方に向かうのが抑制された状態で、６枚の整流板３０３により空気循環流Ｇ２の水平面内の横幅（Ｙ方向）をエアカーテン装置４０の吸込口４１に向けて広げるように流れてエアカーテン装置４０の吸込口４１に吸い込まれる。なお、第３実施形態による冷蔵倉庫３００のその他の構成は、上記第１実施形態と同様である。
【００５５】
第３実施形態では、以下のような効果を得ることができる。
【００５６】
第３実施形態では、上記のように、冷却装置３３０から吹き出された冷気循環流Ｇ１をエアカーテン装置２０の吸込口２１にガイドするための閉じずに開放された断面形状を有する風向ガイド部材３０１を冷却装置３０に設ける。また、冷却装置３５０から吹き出された冷気循環流Ｇ２をエアカーテン装置４０の吸込口４１にガイドするための閉じずに開放された断面形状を有する風向ガイド部材３０１を冷却装置３５０に設ける。これにより、冷却装置３３０および３５０に風向ガイド部材３０１を設けることによって、冷却装置３３０からの冷気循環流Ｇ１および冷却装置３５０からの冷気循環流Ｇ２を、対応するエアカーテン装置２０の吸込口２１およびエアカーテン装置４０の吸込口４１に、各々到達しやすくすることができる。すなわち、冷気循環流Ｇ１およびＧ２（冷気）が自己の重さで重力下方向に徐々に下がることに起因して、対応するエアカーテン装置２０の吸込口２１およびエアカーテン装置４０の吸込口４１に各々到達せずに気流Ｐ１または気流Ｐ２に直接的に当たってこれらの気流形状を乱すのが抑制される。その結果、エアカーテン装置２０と冷却装置３３０とを運転して領域１１に冷気循環流Ｇ１を確実に形成することができる。また、エアカーテン装置４０と冷却装置３５０とを運転して領域１２に冷気循環流Ｇ２を確実に形成することができる。
【００５７】
また、第３実施形態では、冷却装置３３０（３５０）の吹出口３２（５２）の下端部に接続され、冷却装置３３０の吹出口３２から吹き出された冷気循環流Ｇ１および冷却装置３５０の吹出口５２から吹き出された冷気循環流Ｇ２が下方（矢印Ｚ２方向）に向かうのを抑制する板状の下板３０２と、下板３０２に沿って流れる冷気循環流Ｇ１およびＧ２の各々の水平面内の横幅（Ｙ方向）を、対応するエアカーテン装置２０の吸込口２１およびエアカーテン装置４０の吸込口４１に向けて広げるように下板３０２上に配置される板状の整流板３０３とによって、風向ガイド部材３０１を構成する。これにより、下板３０２によって、冷却装置３３０からエアカーテン装置２０に向かう冷気循環流Ｇ１および冷却装置３５０からエアカーテン装置４０に向かう冷気循環流Ｇ２のＺ方向の高さ位置を容易に維持することができる。また、整流板３０３によって、冷却装置３３０からの冷気循環流Ｇ１および冷却装置３５０からの冷気循環流Ｇ２を、対応するエアカーテン装置２０の吸込口２１およびエアカーテン装置４０の吸込口４１に向けて容易に拡散させながら各々に均等に到達させることができる。したがって、冷蔵室１０の幅方向（Ｙ方向）に沿ってライン状に形成される気流Ｐ１およびＰ２の各々の吹出温度および気流形状が各々均一化されるので、気流Ｐ１を構成する冷気循環流Ｇ１および気流Ｐ２を構成する冷気循環流Ｇ２を適切に形成することができる。その結果、領域１１と領域１２とを確実に熱的に分割することができる。なお、第３実施形態のその他の効果は、上記第１実施形態と同様である。
【００５８】
（第４実施形態）
次に、図７を参照して、第４実施形態について説明する。この第４実施形態では、上記第３実施形態と異なり、冷却装置３３０（３５０）とエアカーテン装置２０（４０）との間に補助送風装置４０１（４０２）をさらに設けて冷蔵室１０内に冷気循環流Ｇ１（Ｇ２）を形成した例について説明する。なお、図中において、上記第３実施形態と同様の構成には、第３実施形態と同じ符号を付して図示している。
【００５９】
本発明の第４実施形態による冷蔵倉庫４００は、図７に示すように、領域１１側にエアカーテン装置２０および風向ガイド部材３０１が設けられた冷却装置３３０を設置するとともに、領域１２側にエアカーテン装置４０および風向ガイド部材３０１が設けられた冷却装置３５０を設置している。ここで、第４実施形態では、冷却装置３３０（風向ガイド部材３０１）とエアカーテン装置２０との間に補助送風装置４０１をさらに設けるとともに、冷却装置３５０（風向ガイド部材３０１）とエアカーテン装置４０との間に補助送風装置４０２をさらに設けるように構成している。
【００６０】
これにより、領域１１においては、冷却装置３３０により冷やされて風向ガイド部材３０１から吹き出される冷気が天井部１３の下面１３ａを矢印Ｘ２方向（水平方向）に伝って補助送風装置４０１に吸い込まれる。また、補助送風装置４０１から吹き出された冷気がエアカーテン装置２０の吸込口２１に吸い込まれる。冷気は向きを変えてエアカーテン装置２０の吹出口２２から斜め下方向（矢印Ｚ２方向かつ矢印Ｘ１方向）に吹き出されて床面１４に到達する。そして、向きを変えて床面１４を矢印Ｘ１方向に沿って流通され、Ｘ１側の側壁部１５ａ近傍を矢印Ｚ１方向に伝って冷却装置３０の吸込口３１に吸い込まれるようにして冷気循環流Ｇ１が形成される。
【００６１】
また、領域１２における冷気循環流Ｇ２については、冷却装置３５０により冷やされて風向ガイド部材３０１から吹き出される冷気が天井部１３の下面１３ａを矢印Ｘ１方向（水平方向）に伝って補助送風装置４０２に吸い込まれる。また、補助送風装置４０２から吹き出された冷気がエアカーテン装置４０の吸込口４１に吸い込まれる。冷気は向きを変えてエアカーテン装置４０の吹出口４２から斜め下方向（矢印Ｚ２方向かつ矢印Ｘ２方向）に吹き出されて床面１４に到達する。そして、向きを変えて床面１４を矢印Ｘ２方向に沿って流通され、Ｘ２側の側壁部１５ｂ近傍を矢印Ｚ１方向に伝って冷却装置３５０の吸込口５１に吸い込まれるようにして冷気循環流Ｇ２が形成される。なお、第４実施形態による冷蔵倉庫４００のその他の構成は、上記第１実施形態と同様である。
【００６２】
第４実施形態では、以下のような効果を得ることができる。
【００６３】
第４実施形態では、上記のように、冷却装置３３０（風向ガイド部材３０１）とエアカーテン装置２０との間に補助送風装置４０１を設けるとともに、冷却装置３５０（風向ガイド部材３０１）とエアカーテン装置４０との間に補助送風装置４０２を設ける。そして、冷却装置３３０（風向ガイド部材３０１）から吹き出された冷気循環流Ｇ１および冷却装置３５０（風向ガイド部材３０１）から吹き出された冷気循環流Ｇ２を、対応するエアカーテン装置２０の吸込口２１およびエアカーテン装置４０の吸込口４１に各々到達させるように構成する。これにより、補助送風装置４０１によって冷却装置３３０（風向ガイド部材３０１）からの冷気循環流Ｇ１をエアカーテン装置２０の吸込口２１に確実に到達させることができる。また、補助送風装置４０２によって冷却装置３５０（風向ガイド部材３０１）からの冷気循環流Ｇ２をエアカーテン装置４０の吸込口４１に確実に到達させることができる。したがって、領域１１に冷気循環流Ｇ１を確実に形成することができるとともに、領域１２に冷気循環流Ｇ２を確実に形成することができる。なお、第４実施形態のその他の効果は、上記第１実施形態と同様である。
【００６４】
（第５実施形態）
次に、図８および図９を参照して、第５実施形態について説明する。この第５実施形態では、上記第１実施形態と異なり、気流Ｐ１および気流Ｐ２の各々の風速および風向を調整するように構成した例について説明する。なお、図中において、上記第１実施形態と同様の構成には、第１実施形態と同じ符号を付して図示している。
【００６５】
本発明の第５実施形態による冷蔵倉庫５００は、図８に示すように、領域１１側にエアカーテン装置２０および冷却装置３０を設置するとともに、領域１２側にエアカーテン装置４０および冷却装置５０を設置している。
【００６６】
また、エアカーテン装置２０には、吹出口２２の外側において回動可能なルーバ機構２３が設けられるとともに、エアカーテン装置４０には、吹出口４２の外側において回動可能なルーバ機構４３が設けられている。すなわち、気流Ｐ１およびＰ２は、それぞれ、ルーバ機構２３および４３の回動角度（羽根部の傾斜角度）に応じて、垂直方向（Ｚ方向）に対して風向角度αおよび風向角度βを有した状態で下方（斜め下方）に吹き下ろされるように構成されている。
【００６７】
ここで、第５実施形態では、気流Ｐ１の風速Ｖ１および風向角度α、および、気流Ｐ２の風速Ｖ２および風向角度βは、領域１１の温度Ｔ１および領域１２の温度Ｔ２に基づいて、領域１１をこの温度Ｔ１に維持し、かつ、領域１２をこの温度Ｔ２に維持すべく調整されるように構成されている。
【００６８】
具体的には、図９に示すように、冷蔵室１０内には、温度センサ８１および８２に加えて、境界領域１０ｂにおける床面１４近傍の空気温度を検出する温度センサ８３が設けられている。なお、図８に示すように、温度センサ８１は、エアカーテン装置２０の吹出口２２近傍に固定設置されるとともに、温度センサ８２は、エアカーテン装置４０の吹出口４２近傍に固定設置されている。したがって、温度センサ８１により吹出口２２から吹き出される気流Ｐ１の吹出温度が検出されるとともに、温度センサ８２により吹出口４２から吹き出される気流Ｐ２の吹出温度が検出されるように構成されている。そして、温度センサ８１〜８３により検出される各温度に基づいて統括制御部７１が所定の演算処理が行われるとともに、その演算処理結果に基づいてエアカーテン装置２０および４０の各々の送風量（送風ファンの回転数）とルーバ機構２３および４３の回動角度制御とが行われるように構成されている。なお、温度センサ８１および温度センサ８２は、それぞれ、本発明の「第１温度センサ」および「第２温度センサ」の一例である。
【００６９】
これにより、図８に示すように、気流Ｐ１の風速Ｖ１および風向角度α、および、気流Ｐ２の風速Ｖ２および風向角度βがそれぞれ調整制御されることにより、領域１１が温度Ｔ１に維持され領域１２が温度Ｔ２に維持されるように構成されている。特に、温度Ｔ１と温度Ｔ２との差が大きい場合に、温度センサ８１〜８３により検出される各温度に基づいたエアカーテン装置２０および４０の運転状態（風速よび風向角度）が適切に行われることにより、領域１１および１２の温度維持管理が適切に図られるように構成されている。
【００７０】
一例として、たとえば、温度センサ８１により気流Ｐ１の吹出温度が摂氏０度として検知され、温度センサ８２により気流Ｐ２の吹出温度が摂氏１０度として検知され、温度センサ８３により境界領域１０ｂにおける床面１４近傍の温度が摂氏２度の状態で検知されたとする。この場合、気流Ｐ１が床面１４に衝突して温度センサ８３に到達する渦流Ｑ１が、気流Ｐ２が床面１４に衝突して温度センサ８３に到達する渦流Ｑ２よりも多い状態であることが統括制御部７１（図９参照）により判断される。
【００７１】
そして、エアカーテン装置２０有する気流Ｐ１の現在の風速Ｖ１および風向角度α、および、エアカーテン装置４０が有する気流Ｐ２が現在の風速Ｖ２および風向角度βを基準として、風速Ｖ１を低下させ風向角度αを増加させる（垂直方向からより広げる）第１制御を単独で行うか、または、風速Ｖ２を増加させ風向角度βを減少させる（垂直方向により近づける）第２制御を単独で行うか、または、この第１制御と第２制御とを同時に行うような第３制御を行うかが統括制御部７１（図９参照）により判断される。なお、第１制御〜第３制御のいずれを行うかは、その時点での温度センサ８１〜８３の検出値および風速Ｖ１（Ｖ２）および風向角度α（β）を基準として所定のアルゴリズムに基づいて判定されるように構成されてもよい。あるいは、各検出値に対する制御量（風速Ｖ１およびＶ２、および、風向角度αおよびβの各々の制御量）が予め規定された制御テーブル（図示せず）などを用いて実現するように構成されていてもよい。
【００７２】
これにより、渦流Ｑ１を形成する風量が徐々に減少され、反対に、渦流Ｑ２を形成する風量が徐々に増加される。したがって、境界領域１０ｂにおける床面１４近傍の温度は、それまでの２度の状態から温度Ｔ１（約０度）と温度Ｔ２（約１０度）との中間の温度に向かって徐々に上昇される。このように、気流Ｐ１と気流Ｐ２との気流形状を左右非対称にすることによって、温度Ｔ１と温度Ｔ２との間に顕著な温度差を生じさせるように冷蔵倉庫５００を構成した場合であっても、温度Ｔ１と温度Ｔ２との温度差（この場合、約１０度）に起因して領域１１の空気と領域１２の空気とが互いに混ざり合うことが極力生じない。また、気流Ｐ１と気流Ｐ２とに風速差（Ｖ１とＶ２との差）および角度差（αとβとの差）を設けることによっても、気流Ｐ１と気流Ｐ２とが互いに吸引し合って合流し境界領域１０ｂ内に１つの下降気流が形成されるのが防止されている。
【００７３】
なお、温度センサ８１（８２）は４台のエアカーテン装置２０（４０）の各々に設けられている。また、温度センサ８３は、冷蔵室１０のＹ方向の中央部における床面１４近傍の空気温度を検出するように設置されている。そして、境界領域１０ｂを挟んでＸ方向に対向する一対の温度センサ８１および８２と、Ｙ方向中央の温度センサ８３との温度関係から、４台のエアカーテン装置２０（４０）の風速および風向が個別に調整されるように構成されている。すなわち、図９に示されるエアカーテン装置制御部７２（７４）は、４台のエアカーテン装置２０（４０）を個別に制御するように構成されている。なお、第５実施形態による冷蔵倉庫５００のその他の構成は、上記第１実施形態と同様である。
【００７４】
第５実施形態では、以下のような効果を得ることができる。
【００７５】
第５実施形態では、上記のように、気流Ｐ１の風速Ｖ１および風向角度α、および、気流Ｐ２の風速Ｖ２および風向角度βを、温度Ｔ１の検出値と温度Ｔ２の検出値と境界領域１０ｂにおける床面１４近傍の空気温度の検出値との３要素に基づいて、領域１１を温度Ｔ１に維持可能でかつ領域１２を温度Ｔ２に維持可能なように調整する。これにより、温度Ｔ１と温度Ｔ２とが互いにどのように設定された場合であっても、気流Ｐ１の風速Ｖ１および風向角度α、および、気流Ｐ２の風速Ｖ２および風向角度βが、温度Ｔ１の検出値と温度Ｔ２の検出値と境界領域１０ｂにおける床面１４近傍の空気温度の検出値とに基づいて調整されるので、温度Ｔ１と温度Ｔ２との温度差に起因して領域１１と領域１２との境界領域１０ｂ近傍においてエアカーテン気流（気流Ｐ１およびＰ２）の形状が歪む（湾曲する）のを抑制することができる。したがって、領域１１と領域１２との境界領域１０ｂ近傍においても、領域１１側の温度Ｔ１と領域１２側の温度Ｔ２とをそれぞれ容易に維持することができる。
【００７６】
また、第５実施形態では、領域１１の温度Ｔ１を検出する温度センサ８１と、領域１２の温度Ｔ２を検出する温度センサ８２と、境界領域１０ｂにおける床面１４近傍の空気温度を検出する温度センサ８３とを備える。そして、気流Ｐ１の風速Ｖ１および風向角度α、および、気流Ｐ２の風速Ｖ２および風向角度βを、温度センサ８１〜８３の検出結果に基づいて、領域１１を温度Ｔ１に維持可能でかつ領域１２を温度Ｔ２に維持可能なように調整する。これにより、温度センサ８１〜８３の検出結果に基づいて、気流Ｐ１の風速Ｖ１および風向角度α、および、気流Ｐ２の風速Ｖ２および風向角度βを精度よく調整することができる。すなわち、温度Ｔ１を有する領域１１と温度Ｔ２を有する領域１２との境界領域１０ｂ近傍において、温度Ｔ１と温度Ｔ２との温度差に起因して気流Ｐ１と気流Ｐ２とが混合されるのを容易に抑制することができる。また、領域１１と領域１２との熱的な境界位置を適切に制御することができる。なお、第５実施形態のその他の効果は、上記第１実施形態と同様である。
【００７７】
（第６実施形態）
次に、図１０を参照して、第６実施形態について説明する。この第６実施形態では、上記第１実施形態と異なり、エアカーテン装置２０およびエアカーテン装置４０の間に遮蔽部材６０１を設けた例について説明する。なお、図中において、上記第１実施形態と同様の構成には、第１実施形態と同じ符号を付して図示している。
【００７８】
本発明の第６実施形態による冷蔵倉庫６００は、図１０に示すように、領域１１側にエアカーテン装置２０および冷却装置３０を設置するとともに、領域１２側にエアカーテン装置４０および冷却装置５０を設置している。ここで、第６実施形態では、エアカーテン装置２０および４０の間に断熱機能を有する遮蔽部材６０１が設けられている。遮蔽部材６０１は、断熱性を有する透明な部材からなり、遮蔽部材６０１は、天井部１３の下面１３ａに取り付けられる上端６０１ａと、冷蔵室１０の床面１４よりも高い位置に位置される下端６０１ｂとを有して板状に形成されている。
【００７９】
これにより、境界領域１０ｂにおいては、エアカーテン装置２０から吹き下ろされた直後の気流Ｐ１とエアカーテン装置４０から吹き下ろされた直後の気流Ｐ２とは、遮蔽部材６０１により互いに干渉し合うことなく床面１４に向かう。すなわち、境界領域１０ｂに形成される気流形状が顕著に乱されることなく気流Ｐ１およびＰ２による断熱壁としての役割が保たれる。したがって、温度Ｔ１と温度Ｔ２との温度差に起因して気流Ｐ１と気流Ｐ２とが混合されるとともに領域１１と領域１２との境界領域１０ｂ近傍においてエアカーテン気流（気流Ｐ１およびＰ２）の形状が歪む（湾曲する）のが、遮蔽部材６０１の整流作用によって抑制されるように構成されている。
【００８０】
ここで、たとえば、温度Ｔ１が温度Ｔ２に対して相対的に高く設定され、かつ、遮蔽部材６０１が設けられていない場合には、温度の高い渦流Ｑ１が境界領域１０ｂ中の上方領域で温度の低い渦流Ｑ２に混合されるのと同時に、温度の低い渦流Ｑ２が境界領域１０ｂ中の下方領域で温度の高い渦流Ｑ１に混合される。これにより、境界領域１０ｂ近傍においてエアカーテン気流（気流Ｐ１およびＰ２）の形状が右上から左下方向に流れるように歪む。これに対して、冷蔵倉庫６００では遮蔽部材６０１が設けられているので、エアカーテン気流（気流Ｐ１およびＰ２）の形状には顕著な歪が発生しないように構成されている。
【００８１】
なお、遮蔽部材６０１の下端６０１ｂの高さ位置は、作業者（図示せず）が領域１１と領域１２との間の往来の妨げとならない程度の位置に調整されている。なお、第６実施形態による冷蔵倉庫６００のその他の構成は、上記第１実施形態と同様である。
【００８２】
第６実施形態では、以下のような効果を得ることができる。
【００８３】
第６実施形態では、上記のように、エアカーテン装置２０およびエアカーテン装置４０の間に設けられるとともに下端６０１ｂが冷蔵室１０の床面１４よりも高い位置に位置され、気流Ｐ１およびＰ２を互いに遮蔽する遮蔽部材６０１をさらに備える。これにより、温度Ｔ１と温度Ｔ２とが互いにどのように設定された場合であっても、エアカーテン装置２０および４０の間に設けられ下端６０１ｂが冷蔵室１０の床面１４よりも高い位置まで延びる遮蔽部材６０１によって、気流Ｐ１およびＰ２の形状を共に乱すことなく冷蔵室１０の床面１４まで到達させることができる。すなわち、温度Ｔ１と温度Ｔ２との温度差に起因して領域１１と領域１２との境界領域１０ｂ近傍においてエアカーテン気流（気流Ｐ１およびＰ２）の形状が歪む（湾曲する）のを、遮蔽部材６０１の整流作用によって抑制することができる。したがって、領域１１と領域１２との境界領域１０ｂ近傍においても温度Ｔ１と温度Ｔ２とをそれぞれ容易に維持することができる。
【００８４】
また、第６実施形態では、断熱性を有する透明な部材を用いて遮蔽部材６０１を構成する。これにより、領域１１と領域１２とを部分的に遮る遮蔽部材６０１を設置した場合であっても、遮蔽部材６０１が透明部材からなるので、作業者は、領域１１と領域１２とを相互に見渡すことができる。これによっても、作業性の向上を図ることができる。なお、第６実施形態のその他の効果は、上記第１実施形態と同様である。
【００８５】
（第６実施形態の変形例）
次に、図１１を参照して、第６実施形態の変形例について説明する。この第６実施形態の変形例では、上記第６実施形態と異なり、エアカーテン装置２０およびエアカーテン装置４０を天井部１３の下面１３ａから下方（矢印Ｚ２方向）に離間させた状態で各々を配置可能に構成された遮蔽部材６０２を冷蔵室１０に設けた固定した例について説明する。なお、図中において、上記第６実施形態と同様の構成には、第６実施形態と同じ符号を付して図示している。
【００８６】
本発明の第６実施形態の変形例による冷蔵倉庫６５０は、図１１に示すように、上端６０２ａを有して板状かつ断熱機能を有する遮蔽部材６０２が、天井部１３の下面１３ａに取り付けられている。そして、エアカーテン装置２０および４０は、天井部１３の下面１３ａから下方に離間した状態で各々が遮蔽部材６０２の側面６０３（Ｘ１側）および側面６０４（Ｘ２側）に取り付けられている。そして、この状態で、遮蔽部材６０２の下端６０２ｂが、床面１４よりも高い位置に留められるように延びている。
【００８７】
これにより、エアカーテン装置２０および４０の高さ方向の設置位置に関係なく、冷蔵倉庫６５０においてもエアカーテン装置２０（４０）よりも下方まで延びる遮蔽部材６０２が設けられているので、エアカーテン気流（気流Ｐ１およびＰ２）の形状には顕著な歪が発生しないように構成されている。なお、第６実施形態の変形例による冷蔵倉庫６５０のその他の構成は、上記第１実施形態と同様である。
【００８８】
第６実施形態の変形例では、以下のような効果を得ることができる。
【００８９】
第６実施形態の変形例では、上記のように、エアカーテン装置２０およびエアカーテン装置４０を天井部１３の下面１３ａから下方（矢印Ｚ２方向）に離間させた状態で各々を配置可能な遮蔽部材６０２を冷蔵室１０に設ける。これにより、エアカーテン装置２０および４０の高さ方向（Ｚ方向）の設置位置に関係なく、温度Ｔ１と温度Ｔ２とが互いにどのように設定された場合であっても、気流Ｐ１およびＰ２の形状を共に乱すことなく冷蔵室１０の床面１４まで到達させることができる。したがって、領域１１と領域１２とにおいて、温度Ｔ１と温度Ｔ２とをそれぞれ容易に維持することができる。なお、第６実施形態の変形例のその他の効果は、上記第１実施形態と同様である。
【００９０】
（第７実施形態）
次に、図１２〜図１５を参照して、第７実施形態について説明する。この第７実施形態では、上記第１実施形態と異なり、エアカーテン装置２０およびエアカーテン装置４０が天井部１３の下面１３ａに沿ってＸ方向に移動可能となるように構成した例について説明する。なお、図中において、上記第１実施形態と同様の構成には、第１実施形態と同じ符号を付して図示している。
【００９１】
本発明の第７実施形態による冷蔵倉庫７００は、図１２に示すように、領域１１側にエアカーテン装置２０および冷却装置３０を設置するとともに、領域１２側にエアカーテン装置４０および冷却装置５０を設置している。ここで、第７実施形態では、図１３および図１４に示すように、エアカーテン装置２０および４０は、冷蔵室１０のＸ方向における中央位置（紙面中央）を中心として領域１１側（Ｘ１側）または領域１２側（Ｘ２側）に移動可能であるように構成されている。
【００９２】
具体的には、図１２〜図１４に示すように、天井部１３の下面１３ａに一対のレール部材７０１が取り付けられている。そして、エアカーテン装置２０とエアカーテン装置４０とはＸ方向に境界領域１０ｂの幅に相当する離間間隔を有した状態で架台７０２の下面７０２ｂ側に取り付けられている。また、架台７０２の上面７０２ａには、レール部材７０１に対応する位置に滑車部７０３が設けられている。そして、滑車部７０３に回転可能に取り付けられた複数の車輪７０４の各々が、対応するレール部材７０１上を回転可能に係合されている。また、レール部材７０１の両端部には、滑車部７０３の移動を規制するためのストッパ部材７０５が取り付けられている。したがって、図１２および図１３に示すように、レール部材７０１に対して架台７０２が矢印Ｘ１方向または矢印Ｘ２方向にスライド移動されることにより、エアカーテン装置２０とエアカーテン装置４０とが矢印Ｘ１方向または矢印Ｘ２方向に移動されるように構成されている。これにより、内部空間１０ａにおけるＸ方向に沿った気流Ｐ１およびＰ２の吹き出し位置が変更可能であるように構成されている。
【００９３】
また、第７実施形態では、天井部１３の下面１３ａにレール部材７０１が設けられ、さらに移動可能な架台７０２を介してエアカーテン装置２０とエアカーテン装置４０とが固定されている。すなわち、図１４に示すように、エアカーテン装置２０および４０は、冷蔵室１０の天井部１３の下面１３ａに対して下方（矢印Ｚ２方向）に離間した高さ位置に配置された状態で領域１１側または領域１２側に移動されるように構成されている。このため、冷蔵室１０の天井部１３の下面１３ａと、エアカーテン装置２０および４０の上面に相当する架台７０２の上面７０２ａとの隙間を塞ぐように、樹脂製のシール部材７１０が設けられている。
【００９４】
また、シール部材７１０は、天井部１３の下面１３ａに固定される上端７ａ（Ｚ１側）と、架台７０２の上面７０２ａに固定される下端７ｂ（Ｚ２側）とを有している。ここで、上端７ａは、冷蔵室１０のＸ方向における中央位置に対応した部分の天井部１３の下面１３ａに固定されている。また、樹脂製のシール部材７１０は、形状を自由に変形することが可能なシート状の部材である。これにより、架台７０２がレール部材７０１の延びるＸ方向に沿ってどの位置に移動されても、シール部材７１０の中間部がその断面形状をＺ方向（Ｘ方向）に沿ってＳ字状に変形されることにより、天井部１３の下面１３ａと架台７０２の上面７０２ａとの隙間が常に塞がれるように構成されている。すなわち、天井部１３の下面１３ａと架台７０２の上面７０２ａとの隙間を介して、領域１１と領域１２との間に空気流動（冷気の移動）が起こらないので、領域１１および１２は、温度Ｔ１およびＴ２にそれぞれ容易に維持される。
【００９５】
これにより、たとえば、季節変化とともに物品１および２の内容や個数に変動が生じ、これに伴って冷蔵室１０内における領域１１と領域１２との容積割合を変更する必要がある場合においても、架台７０２を移動させることにより、領域１１と領域１２との容積割合を適宜変更することが可能であるように構成されている。
【００９６】
また、第７実施形態では、架台７０２がＸ方向に沿って移動されて領域１１と領域１２との容積割合が変更された場合に、エアカーテン装置２０および４０の領域１１側または領域１２側への移動距離（後述する距離Ｌ１および距離Ｌ２）に応じて、気流Ｐ１およびＰ２の各々の風速が調整されるように構成されている。
【００９７】
この場合、図１５に示すように、冷蔵室１０内には、温度センサ８１および８２に加えて、架台７０２のＸ方向の位置（移動位置）を検出するための位置センサ８７が設けられている。位置センサ８７は、図１２および図１３に示すように、Ｙ２側の滑車部７０３におけるＸ１側の端部に取り付けられており、天井部１３に固定されたレール部材７０１に対する位置センサ８７の現在位置が統括制御部７１（図１５参照）により検出されるように構成されている。したがって、位置センサ８７の検出結果に基づいて、冷却装置３０とエアカーテン装置２０との距離Ｌ１（図１２参照）および冷却装置５０とエアカーテン装置４０との距離Ｌ２（図１２参照）が、それぞれ、把握されるように構成されている。なお、距離Ｌ１および距離Ｌ２は、本発明の「移動距離」の一例である。
【００９８】
たとえば、架台７０２が矢印Ｘ１方向に沿って移動されて領域１１が相対的に小さく、領域１２が相対的に大きく構成されたとする。この場合、領域１１の冷却装置３０とエアカーテン装置２０との距離Ｌ１は、領域１２の冷却装置５０とエアカーテン装置４０との距離Ｌ２よりも小さい（Ｌ１＜Ｌ２）。したがって、一例として、図１２に示すように、エアカーテン装置２０から吹き下ろされる気流Ｐ１の風速Ｖ１が相対的に小さく、かつ、エアカーテン装置４０から吹き下ろされる気流Ｐ２の風速Ｖ２が相対的に大きくなるように調整される。なお、温度センサ８１および８２の検出結果は、冷却装置３０および５０の能力調整制御に使用される。このように、気流Ｐ１およびＰ２の各々の風速Ｖ１およびＶ２は、エアカーテン装置２０および４０の領域１１側または領域１２側への移動距離（距離Ｌ１およびＬ２）に応じて、領域１１を温度Ｔ１に維持可能でかつ領域１２を温度Ｔ２に維持可能なように調整されるように構成されている。
【００９９】
また、他の例として、距離Ｌ１＜距離Ｌ２の場合に、エアカーテン装置２０からの気流Ｐ１の風向（垂直方向（Ｚ方向）に対する風向角度）とエアカーテン装置４０からの気流Ｐ２の風向（垂直方向（Ｚ方向）に対する風向角度）とが、相互に調整されるように構成されていてもよい。さらには、気流Ｐ１の風速および風向と、気流Ｐ２の風速および風向とを相互に調整して、領域１１を温度Ｔ１でかつ領域１２を温度Ｔ２に維持することも可能である。なお、第７実施形態による冷蔵倉庫７００のその他の構成は、上記第１実施形態と同様である。
【０１００】
第７実施形態では、以下のような効果を得ることができる。
【０１０１】
第７実施形態では、上記のように、エアカーテン装置２０およびエアカーテン装置４０を、領域１１側または領域１２側に移動可能に構成する。これにより、冷蔵室１０内における領域１１と領域１２との容積的な割合（レイアウト）を変更した場合にも、容易に、変更した容積的な割合（レイアウト）に対応するようにエアカーテン装置２０および４０を移動させることができる。したがって、領域１１および１２のレイアウト配置が相互に変更された場合にも、容易に、領域１１と領域１２との各々の温度維持を共に図ることができる。
【０１０２】
また、第７実施形態では、エアカーテン装置２０およびエアカーテン装置４０を、冷蔵室１０の天井部１３の下面１３ａに対して下方に離間した高さ位置において領域１１側または領域１２側に移動可能に構成する。そして、この場合に、冷蔵室１０の天井部１３の下面１３ａと、エアカーテン装置２０および４０を固定する架台７０２の上面７０２ａとの隙間を塞ぐように配置されたシール部材７１０を設ける。これにより、エアカーテン装置２０および４０が冷蔵室１０の天井部１３に対して隙間を有して移動される場合であっても、この隙間を遮断するようにシール部材７１０が配置されているので、この隙間を介して領域１１と領域１２とが連通されるのを防止することができる。すなわち、この隙間を介して領域１１と領域１２との間に空気流動が起こらないので、領域１１および１２を、温度Ｔ１およびＴ２にそれぞれ容易に維持することができる。
【０１０３】
また、第７実施形態では、エアカーテン装置２０の領域１１側への距離Ｌ１（移動距離）およびエアカーテン装置４０の領域１２側への距離Ｌ２（移動距離）に応じて、領域１１を温度Ｔ１に維持しかつ領域１２を温度Ｔ２に維持するように、気流Ｐ１および気流Ｐ２の各々の風速Ｖ１およびＶ２を調整するように構成する。また、風速Ｖ１およびＶ２のみならず各々のエアカーテン装置の風向を調整することによっても領域１１を温度Ｔ１に維持しかつ領域１２を温度Ｔ２に維持するように構成する。これにより、エアカーテン装置２０および４０の領域１１側または領域１２側への移動に伴って領域１１および１２の各々の空間容積割合が変更された場合であっても、気流Ｐ１およびＰ２の各々の風速Ｖ１およびＶ２（および／または気流Ｐ１およびＰ２の各々の風向）が、距離Ｌ１またはＬ２に応じて調整されるので、各々の空間容積の差異に起因して領域１１と領域１２との境界領域１０ｂ近傍においてエアカーテン気流（気流Ｐ１およびＰ２）の形状が歪む（湾曲する）のを抑制することができる。したがって、領域１１および１２の各々の空間容積割合に関係なく、気流Ｐ１およびＰ２による遮断（断熱）機能を維持することができる。なお、第７実施形態のその他の効果は、上記第１実施形態と同様である。
【０１０４】
（第７実施形態の変形例）
次に、図１６を参照して、第７実施形態の変形例について説明する。この第７実施形態の変形例では、上記第７実施形態の構成に上記第６実施形態で示した構成を付加した例について説明する。なお、図中において、上記第１実施形態と同様の構成には、第１実施形態と同じ符号を付して図示している。
【０１０５】
すなわち、第７実施形態の変形例による冷蔵倉庫７５０は、図１６に示すように、天井部１３の下面１３ａにレール部材７０１が設けられ、さらに移動可能な架台７０２を介してエアカーテン装置２０とエアカーテン装置４０とが架台７０２の下面７０２ｂ側（Ｚ２側）に取り付けられている。また、エアカーテン装置２０および４０の間には、遮蔽部材６０１が設けられている。ここで、遮蔽部材６０１は、架台７０２の下面７０２ｂに上端６０１ａが取り付けられている。また、遮蔽部材６０１は、下端６０１ｂが冷蔵室１０の床面１４よりも高い位置に位置されている。
【０１０６】
これにより、エアカーテン装置２０および４０の領域１１側または領域１２側への移動距離（距離Ｌ１およびＬ２）に応じて気流Ｐ１およびＰ２の各々の風速Ｖ１およびＶ２が調整されるのに加えて、気流Ｐ１およびＰ２の各々の風速Ｖ１およびＶ２が大きく異なる場合においても、境界領域１０ｂにおいては、エアカーテン装置２０から吹き下ろされた直後の気流Ｐ１とエアカーテン装置４０から吹き下ろされた直後の気流Ｐ２とは、遮蔽部材６０１により互いに干渉し合うことなく床面１４に向かうことが可能に構成されている。すなわち、境界領域１０ｂに形成される気流形状が顕著に乱れることなく気流Ｐ１およびＰ２による断熱壁としての役割が保たれる。なお、第７実施形態の変形例による冷蔵倉庫７５０のその他の構成は、上記第７実施形態と同様である。
【０１０７】
第７実施形態の変形例では、以下のような効果を得ることができる。
【０１０８】
第７実施形態の変形例では、上記のように、エアカーテン装置２０およびエアカーテン装置４０を領域１１側または領域１２側に移動可能に構成し、かつ、エアカーテン装置２０およびエアカーテン装置４０の間に遮蔽部材６０１を設ける。これにより、領域１１および領域１２のレイアウト配置を大幅に変更した場合であっても、遮蔽部材６０１により境界領域１０ｂに形成される気流形状が顕著に乱されることなく気流Ｐ１およびＰ２による断熱壁としての役割をして、領域１１と領域１２との温度維持を共に効果的に図ることができる。なお、第７実施形態の変形例のその他の効果は、上記第７実施形態と同様である。
【０１０９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１１０】
たとえば、上記第１〜第７実施形態およびその変形例では、天井部１３の下面１３ａ下に冷却装置３０（３３０）および５０（３５０）をそれぞれ配置した例について示したが、本発明はこれに限られない。本発明の「第１送風装置」または「第２送風装置」の少なくとも一方を、冷蔵室における側壁部（側壁部１５ａまたは１５ｂ）に取り付けて「第１空気循環流」または「第２空気循環流」の少なくとも一方を形成するように構成してもよい。
【０１１１】
また、上記第１、第２、第５〜第７実施形態およびその変形例では、４台の第１エアカーテン装置と２台の冷却装置（第１送風装置）とを用いて第１物品保存領域を構成するとともに、４台の第２エアカーテン装置と２台の冷却装置（第２送風装置）とを用いて第２物品保存領域を構成した例について示したが、本発明はこれに限られない。第１（第２）エアカーテン装置の台数と冷却装置（第１（第２）送風装置）の台数との組み合わせは、上記実施形態及びその変形例以外の組合せであってもよい。
【０１１２】
また、上記第４実施形態では、各々に風向ガイド部材３０１が設けられた冷却装置３３０（３５０）とエアカーテン装置２０（４０）との間に補助送風装置４０１（４０２）を設けて領域１１および領域１２をそれぞれ構成した例について示したが、本発明はこれに限られない。すなわち、風向ガイド部材３０１を設けることなく、単に、冷却装置３０（５０）とエアカーテン装置２０（４０）との間に補助送風装置４０１（４０２）を設けて領域１１および領域１２をそれぞれ構成してもよい。
【０１１３】
また、上記第１〜第７実施形態およびその変形例では、互いに仕切られることなく隣接配置された２つの領域１１および領域１２を熱的に分割するために一対のエアカーテン装置２０および４０を対向配置して１つの冷蔵室１０を構成した例について示したが、本発明はこれに限られない。３つ以上の物品保存領域が互いに仕切られることなく隣接配置された冷蔵室においても、互いに隣接する物品保存領域同士の境界に沿って冷蔵室の床面まで吹き下ろされる一対のエアカーテン気流を形成するように各々の物品保存領域内にエアカーテン装置が設置されるように冷蔵室を構成してもよい。
【０１１４】
また、上記第１実施形態では、エアカーテン形成機能（送風機能）のみをエアカーテン装置２０および４０に持たせた例について示したが、本発明はこれに限られない。冷却装置３０および５０に加えて、エアカーテン装置２０および４０にも冷却機能を発揮させて、温度Ｔ１に保たれる領域１１と温度Ｔ２に保たれる領域１２とを熱的に分割するための冷気循環流Ｇ１およびＧ２を形成するように構成してもよい。
【０１１５】
また、上記第５実施形態では、温度センサ８１および８２を、それぞれ、エアカーテン装置２０の吹出口２２側およびエアカーテン装置４０の吹出口４２側に配置した例について示したが、本発明はこれに限られない。温度センサ８１および８２を、それぞれ、エアカーテン装置２０の吸込口２１側およびエアカーテン装置４０の吸込口４１側に配置してもよい。
【０１１６】
また、上記第５実施形態では、温度センサ８１および８２に加えて境界領域１０ｂにおける床面１４近傍の温度を検出する温度センサ８３を設けて気流Ｐ１の風速Ｖ１および風向角度α、および、気流Ｐ２の風速Ｖ２および風向角度βを調整した例について示したが、本発明はこれに限られない。温度センサ８３を設けることなく温度センサ８１および８２のみを用いて気流Ｐ１およびＰ２の風速および風向角度を調整するように構成してもよい。
【０１１７】
また、上記第５実施形態では、エアカーテン装置２０および４０の吹出空気温度に基づいて、気流Ｐ１の風速Ｖ１および風向角度α、および、気流Ｐ２の風速Ｖ２および風向角度βを個々に調整した例について示したが、本発明はこれに限られない。たとえば、冷却装置３０および５０の温度設定値に基づいて、気流Ｐ１の風速Ｖ１および風向角度α、および、気流Ｐ２の風速Ｖ２および風向角度βを個々に調整してもよい。なぜなら、冷却装置３０および５０の各々の温度設定値の差が、境界領域１０ｂにおける温度Ｔ１と温度Ｔ２との温度差に最も影響を与える可能性が高いからである。
【０１１８】
また、上記第５実施形態では、４台のエアカーテン装置２０（４０）の各々に温度センサ８１（８２）を設けて温度センサ８３との温度関係から４台のエアカーテン装置２０（４０）の風速および風向を個別に調整するように構成した例について示したが、本発明はこれに限られない。１つの温度センサを代表となるエアカーテン装置の吹出口または吸込口に設置して温度センサ８３との温度関係から全てのエアカーテン装置の風速および風向を一斉（同様）に調整するように構成してもよい。
【０１１９】
また、上記第６実施形態の変形例では、エアカーテン装置２０とエアカーテン装置４０とを遮蔽部材６０２における同じ高さ位置に配置した例について示したが、本発明はこれに限られない。すなわち、エアカーテン装置２０とエアカーテン装置４０とを遮蔽部材６０２における互いに異なる高さ位置に設置してもよい。
【０１２０】
また、上記第７実施形態では、エアカーテン装置２０とエアカーテン装置４０とを共に架台７０２の下面７０２ｂ側に取り付けて一体的に移動させるように構成した例について示したが、本発明はこれに限られない。すなわち、エアカーテン装置２０とエアカーテン装置４０とを個別に移動させるように構成して領域１１と領域１２とを熱的に分割するための気流Ｐ１およびＰ２を形成するように構成してもよい。
【０１２１】
また、上記第７実施形態では、エアカーテン装置２０の距離Ｌ１（移動距離）およびエアカーテン装置４０の距離Ｌ２（移動距離）に応じて、気流Ｐ１および気流Ｐ２の各々の風速または風向の少なくとも一方を調整するように構成した例について示したが、本発明はこれに限られない。たとえば、距離Ｌ１およびＬ２に応じて、冷却装置３０および５０の各々から吹き出される空気（冷気）の風速を調整することにより、気流Ｐ１を含む冷気循環流Ｇ１の形成と気流Ｐ２を含む冷気循環流Ｇ２の形成とのバランスを調整してもよい。距離Ｌ１＜距離Ｌ２の場合には、冷却装置３０の吹出風速を減少させる一方、冷却装置５０の吹出風速を増加させるのが好ましい。これによっても領域１１と領域１２との容積的な割合に応じた冷気循環流Ｇ１およびＧ２が形成可能であるので、領域１１を温度Ｔ１でかつ領域１２を温度Ｔ２に維持することが可能である。
【０１２２】
また、上記第７実施形態では、冷蔵室１０の天井部１３の下面１３ａと、エアカーテン装置２０およびエアカーテン装置４０を固定する架台７０２の上面７０２ａとの隙間を塞ぐようにシール部材７１０を設けた例について示したが、本発明はこれに限られない。シール部材７１０の下端７ｂをエアカーテン装置２０またはエアカーテン装置４０の上面に直接的に固定して隙間を塞ぐように構成してもよい。
【０１２３】
また、上記第７実施形態では、エアカーテン装置２０とエアカーテン装置４０とが固定された架台７０２に車輪７０４を有する滑車部７０３を取り付けてエアカーテン装置２０とエアカーテン装置４０とを矢印Ｘ１方向または矢印Ｘ２方向に移動するように構成した例について示したが、本発明はこれに限られない。車輪７０４などを設けることなく、レール部材７０１に対して架台７０２を摺動させながら移動するように構成してもよい。
【０１２４】
また、上記第１〜第７実施形態およびその変形例では、冷蔵室１０における内部空間１０ａを構成する一方側（Ｙ１側）の側壁部１６から他方側（Ｙ２側）の側壁部１７に亘ってＹ方向に直線的に並ぶようにエアカーテン装置２０（２２０）および４０（２４０）を設置して領域１１と領域１２とに熱的に２分割した例について示したが、本発明はこれに限られない。たとえば、冷蔵室１０を平面的に見た場合に、領域１１と領域１２とがＬ字型やＳ字型の境界領域１０ｂを介して互いに熱的に分割されるように個々のエアカーテン装置が直線状（鍵状）またはＳ字状に配置されるように構成してもよい。
【符号の説明】
【０１２５】
１  物品（第１物品）
２  物品（第２物品）
３、４  冷却部
１０  冷蔵室
１１  領域（第１物品保存領域）
１２  領域（第２物品保存領域）
１３  天井部
１３ａ  下面
２０、２２０  エアカーテン装置（第１エアカーテン装置）
３０、３３０  冷却装置（第１送風装置）
４０、２４０  エアカーテン装置（第２エアカーテン装置）
５０、３５０  冷却装置（第２送風装置）
７０  コントローラ機器
８１  温度センサ（第１温度センサ）
８２  温度センサ（第２温度センサ）
８３  温度センサ
８７  位置センサ
１００、２００、３００、４００、５００、６００、６５０、７００、７５０  冷蔵倉庫
３０１  風向ガイド部材
３０２  下板（第１風向板）
３０３  整流板（第２風向板）
４０１、４０２  補助送風装置
６０１、６０２  遮蔽部材
６０１ｂ、６０２ｂ  下端
７０２ａ  上面
７１０  シール部材
【図１】
2015145756.tif 000003
【図２】
2015145756.tif 000004
【図３】
2015145756.tif 000005
【図４】
2015145756.tif 000006
【図５】
2015145756.tif 000007
【図６】
2015145756.tif 000008
【図７】
2015145756.tif 000009
【図８】
2015145756.tif 000010
【図９】
2015145756.tif 000011
【図１０】
2015145756.tif 000012
【図１１】
2015145756.tif 000013
【図１２】
2015145756.tif 000014
【図１３】
2015145756.tif 000015
【図１４】
2015145756.tif 000016
【図１５】
2015145756.tif 000017
【図１６】
2015145756.tif 000018